(57)【要約】【課題】本筋の血管から分岐血管へのガイドワイヤーの迷い込みを防止することのできるガイドワイヤーを提供する。【解決手段】先端側に湾曲部５を備えた医療用ガイドワイヤーであって、ワイヤー本体３の先端側は、ワイヤー本体３の先端部が当該ワイヤー本体３の基部側へ戻るように湾曲してあり、かつ上記先端部付近は、平面視したときワイヤー本体と鋭角度でもって立体交差してある。また、先端側に湾曲部５を備えた医療用ガイドワイヤーであって、ワイヤー本体３の先端側に、ワイヤー本体３の軸心に平行な第１平面Ｐ１の一側方向に突出し、かつ前記第１平面Ｐ１に対して直交すると共に前記軸心に平行な第２平面Ｐ２から先端側が次第に離反するように湾曲した螺旋状の湾曲部５を備え、この湾曲部５の先端側に前記ワイヤー本体３に鋭角度でもって立体交差した直線状先端部７を備えている。【選択図】図１
2008125628.tif 000002
【特許請求の範囲】
【請求項１】
先端側に湾曲部を備えた医療用ガイドワイヤーであって、ワイヤー本体の先端側は、ワイヤー本体の先端部が当該ワイヤー本体の基部側へ戻るように湾曲してあり、かつ上記先端部付近は、平面視したときワイヤー本体と鋭角度でもって立体交差してあることを特徴とする医療用ガイドワイヤー。
【請求項２】
先端側に湾曲部を備えた医療用ガイドワイヤーであって、ワイヤー本体の先端側に、ワイヤー本体の軸心に平行な第１平面の一側方向に突出し、かつ前記第１平面に対して直交すると共に前記軸心に平行な第２平面から先端側が次第に離反するように湾曲した螺旋状の湾曲部を備え、この湾曲部の先端側に前記ワイヤー本体に鋭角度でもって立体交差した直線状先端部を備えていることを特徴とする医療用ガイドワイヤー。
【請求項３】
請求項２に記載の医療用ガイドワイヤーにおいて、前記螺旋状の湾曲部の円弧状の部分の範囲は２００°〜２３５°であることを特徴とする医療用ガイドワイヤー。
【請求項４】
請求項１，２又は３に記載の医療用ガイドワイヤーにおいて、前記直線状先端部が前記ワイヤー本体の押進方向に指向するように前記螺旋状の湾曲部を引き伸ばしたとき、前記ワイヤー本体と前記直線状先端部との間に、ほぼ一周のねじれ部を備える構成であることを特徴とする医療用ガイドワイヤー。
【発明の詳細な説明】
【技術分野】
【０００１】
本発明は、血管内治療に使用される医療用ガイドワイヤーに係り、さらに詳細には、ガイドワイヤーの先端側に螺旋状に湾曲した立体形状の湾曲部を備えている医療用ガイドワイヤーに関する。
【背景技術】
【０００２】
血管内治療に使用されるガイドワイヤーの先端部を湾曲したものとして、先端をアングル型又はＪ字型に湾曲したものが知られている。上記Ｊ字型においては分岐血管への挿入が困難であり、アングル型においては分岐血管に蛇行し易いという問題がある。そこで、前記Ｊ字型，アングル型の欠点を改善すべくガイドワイヤーの先端部をＪ字型に湾曲した状態において、Ｊ字型湾曲部の基部側を前記Ｊ字型の湾曲方向と同方向へ屈曲した構成のガイドワイヤーが提案されている（例えば、特許文献１参照）。
【特許文献１】特開２００６−２５９０７号公報
【発明の開示】
【発明が解決しようとする課題】
【０００３】
前記特許文献１に記載のガイドワイヤーの構成においては、Ｊ字型に湾曲したガイドワイヤーの先端部を、上記Ｊ字型湾曲部の基部をＪ字型湾曲部の湾曲方向と同方向に屈曲した構成であり、ガイドワイヤーの先端側は同一平面内において湾曲されているものである。そして、ガイドワイヤーを進めるべき本筋の血管から分岐した血管内へガイドワイヤーの進行方向の先端部が入り込んだことを知らずにガイドワイヤーを押し進めると、ガイドワイヤーが本筋の血管から分岐血管内へ進んでしまうという問題がある。
【課題を解決するための手段】
【０００４】
本発明は前述のごとき問題に鑑みてなされたもので、先端側に湾曲部を備えた医療用ガイドワイヤーであって、ワイヤー本体の先端側は、ワイヤー本体の先端部が当該ワイヤー本体の基部側へ戻るように湾曲してあり、かつ上記先端部付近は、平面視したときワイヤー本体と鋭角度でもって立体交差してあることを特徴とするものである。
【０００５】
また、先端側に湾曲部を備えた医療用ガイドワイヤーであって、ワイヤー本体の先端部に、ワイヤー本体の軸心に平行な第１平面の一側方向に突出し、かつ前記第１平面に対して直交すると共に前記軸心に平行な第２平面から先端側が次第に離反するように湾曲した螺旋状の湾曲部を備え、この湾曲部の先端側に前記ワイヤー本体に鋭角度でもって立体交差した直線状先端部を備えていることを特徴とするものである。
【０００６】
また、前記医療用ガイドワイヤーにおいて、前記螺旋状の湾曲部の円弧状の部分の範囲は２００°〜２３５°であることを特徴とするものである。
【０００７】
また、前記医療用ガイドワイヤーにおいて、前記直線状先端部が前記ワイヤー本体の押進方向に指向するように前記螺旋状の湾曲部を引き伸ばしたとき、前記ワイヤー本体と前記直線状先端部との間に、ほぼ一周のねじれ部を備える構成であることを特徴とするものである。
【発明の効果】
【０００８】
本発明によれば、ガイドワイヤーの先端部がガイドワイヤーの進行方向を指向するように伸ばした状態において本筋の血管内を進行中に、本筋の血管から分岐した血管の入口に前記先端部が僅かに入り込んだ状態において、ガイドワイヤーをさらに押し進めると、ガイドワイヤーの先端側が元の湾曲状態に復帰されて、湾曲部における進行方向の先端が本筋の血管内に位置し、前記先端部が本筋の血管内に戻るので、分岐した血管内へガイドワイヤーが進入することを防止することができる。すなわち、本筋の血管から分岐した血管への迷い込みが防止されるものである。
【発明を実施するための最良の形態】
【０００９】
図１（Ａ），（Ｂ）を参照するに、本発明の実施形態に係る医療用のガイドワイヤー１は、従来のガイドワイヤーと同様に金属製の芯線の表面を樹脂によって被覆してあり、かつ樹脂の表面には親水性処理が施してある。上記ガイドワイヤー１は、直線状のワイヤー本体３の先端側に湾曲部５を備えている。
【００１０】
より詳細には、前記湾曲部５は、前記ワイヤー本体３の軸心と平行な第１平面Ｐ１（図１（Ａ）には線で表わされている）の一側方向（図１（Ａ）においての上方向）に突出してある。さらに、前記湾曲部５は、前記ワイヤー本体３の軸心と平行で前記第１平面Ｐ１に直交した第２平面Ｐ２（（Ｂ）には線で表わされている）に前記ワイヤー本体３が接触した状態にあるものと仮定すると、前記湾曲部５は、前記第２平面Ｐ２から次第に離れるように（図１（Ｂ）においては次第に上昇するように）螺旋状に湾曲してある。
【００１１】
したがって、前記湾曲部５は、平面視したときには、図１（Ａ）に示すように、ワイヤー本体３の直線状部分３Ａと湾曲部５の接線とがほぼ一致するように接続した構成である。そして、前記湾曲部５の先端側には、前記ワイヤー本体３の前記直線状部分３Ａと鋭角度でもって立体交差した直線状先端部７を備えている。前記湾曲部５と前記直線状先端部７は、前記湾曲部５の接線と前記直線状先端部７とがほぼ一致するように接続した構成である。なお、上記直線状先端部７は、必ずしも直線である必要はなく、多少湾曲していてもよいものである。
【００１２】
そして、前記直線状先端部７における先端９は、平面視したとき、図１（Ａ）に示すように、前記第１平面Ｐ１に対して前記湾曲部５の突出方向とは逆に、すなわち第１平面Ｐ１の他側方向（図１（Ａ）において下方向）に突出してある。また、前記直線状先端部７の先端９は、図１（Ｂ）に示すように、前記第２平面Ｐ２から最も離れた位置にある。前記湾曲部５において、図１（Ａ）に示すように、平面視したときの円弧状部の部分は、ワイヤー本体３の直線状部分３Ａに対して直線状先端部７が鋭角度でもって立体交差するように、約２００°〜２３５°の範囲に亘って設けてある。なお、前記湾曲部５は、平面視したときに円弧状に表わさせるのが望ましいが、必ずしも円弧状に限ることなく、例えば楕円形状など適宜の曲線で表わされることが望ましいものである。
【００１３】
以上のごとき構成において、前記ガイドワイヤー１を血管内に挿入して押し進める場合には、図２に示すように引き伸ばすものである。図２は、対象とする血管の太さにほぼ等しい透明な樹脂製のパイプ１１内に挿入した状態で示してある。
【００１４】
図２（Ｂ）より明らかなように、前記直線状先端部７における先端９が前記ワイヤー本体３の押進方向（図２（Ｂ）において左方向）を指向するように、螺旋状の前記湾曲部５を弾性変形させて引き伸ばすと、上記湾曲部５はパイプ１１の内面によって元の状態に戻ることを規制された状態にあって、前記湾曲部５に相当する長さの部分Ｌの範囲において、前記湾曲部５はねじれ部５Ａを構成する。このねじれ部５Ａはピッチの大きなコイル状を呈するものである。
【００１５】
上記構成において、ワイヤー本体３を押進することによってパイプ（血管）１１内を移動すると共に、ワイヤー本体３を軸心回りに右回り又は左回りに回動すると、直線状先端部７の先端９は、進行方向（図２（Ｂ）において左方向）を指向した状態において、血管（パイプ）１１から分岐した血管１１Ａ（図３参照）方向に指向されるものである。そして、前記先端９が進行すべき分岐血管の入口に達すると、本筋の血管（パイプ）１１による先端９部分の規制が一部解除される態様となるので、前記湾曲部５の弾性により、前記先端９は分岐血管の方向へ入り込むことになる（図３（Ｂ）参照）。
【００１６】
したがって、前記先端９が分岐血管１１Ａ内に入り込むように、前記ワイヤー本体３を軸心回りに回動して、直線状先端部７を上記分岐血管１１Ａ内へねじり込むようにワイヤー本体３を押し進めることにより、前記直線状先端部７に追従してねじれ部５Ａが次第にねじれ込まれる態様となり、ワイヤー本体３における直線状先端部７を分岐血管１１Ａ内へ容易に進行することができるものである。
【００１７】
よって、ワイヤー本体３を軸心回りに回動して直線状先端部７の先端を所望する分岐血管１１Ａ方向へ指向して、ねじり込むように操作することにより、所望する血管の方向へワイヤー本体３を容易に進行することができるものである。
【００１８】
ところで、ワイヤー本体３を軸心回りに回動することなく押進して血管１１内を進行しているときに、図３（Ｂ）に示すように、ワイヤー本体３における直線状先端部７の先端９が希望しない分岐血管１１Ａ内に入り込み、この状態すなわち直線状先端部７の先端９が希望しない分岐血管１１Ａ内に入ったことに気付かずにワイヤー本体３の押進を継続すると、前記先端９が分岐血管１１Ａの入口に引っ掛かった状態となる。
【００１９】
そして、前記先端９が分岐血管１１Ａの入口に引っ掛かった状態においてワイヤー本体３の押進がさらに続行されると、ねじれ部５Ａが弾性によって元の湾曲部５の形状に復帰するので、本筋の太い血管１１から分岐した細い血管１１Ａ内へワイヤー本体３が迷い込むことを防止することができるものである。
【００２０】
前述のごとく、ワイヤー本体３の湾曲部５がねじれ部５Ａの状態から元の螺旋状の形態に復帰したことが検出されたときには、ワイヤー本体３を本筋の血管１１から抜き出して挿入を再度行うものである。
【００２１】
なお、ガイドワイヤー１を挿入する血管１１が全長に亘って太い血管である場合には、図３（Ｄ）に示すように、湾曲部５をねじれ部５Ａに引き伸ばすことなく使用するものである。この場合、ワイヤー本体３の進行方向の先端部に湾曲部５が位置するので、本筋の太い血管１１から分岐した細い分岐血管１１Ａに湾曲部５が入り込むようなことがないものであり、目的位置へ湾曲部５を押し進めることができるものである。
【００２２】
以上のごとき説明より理解されるように、ガイドワイヤー１の先端部を、目的としない血管への迷い込みを防止して、目的とする血管内へ容易に押し進めることができるものである。
【図面の簡単な説明】
【００２３】
【図１】本発明の実施形態に係るガイドワイヤーの先端側の形状を示す説明図である。
【図２】本発明の実施形態に係るガイドワイヤーの使用状態を示す説明図である。
【図３】ガイドワイヤーの迷い込みを防止するための作用説明図である。
【符号の説明】
【００２４】
１  ガイドワイヤー
３    ワイヤー本体
５    湾曲部
５Ａ    ねじれ部
７    直線状先端部
９    先端
１１    パイプ（血管）
【図１】
2008125628.tif 000003
【図２】
2008125628.tif 000004
【図３】
2008125628.tif 000005